(57)【要約】【課題】建物の空調システムを活用してネガワットを創出する。【解決手段】エネルギー管理システムであって、過去の運用データと類似する運用パターンを決定し、ＤＲ要求量を予測する予測部と、決定された運用パターンを用いて空調設備の制御計画を作成し、当該制御計画における電力消費量からＤＲ応答量を決定する受付部とを有し、前記受付部は、（１）冷却塔を制御することで冷凍機が生産する熱を変えずに前記冷却塔と冷凍機の消費電力の合計を最小とする、（２）冷凍機の冷水出口温度を上昇させることで冷凍機の効率を向上する、（３）冷凍機の少なくとも一つを停止する、（４）バルブやポンプを制御してポンプの動力を低減する、（５）代替施設を稼働させて冷凍機の少なくとも一つを停止する、の少なくとも一つの個別制御計画を作成し、作成された個別制御計画を（１）から（５）の順に組み合わせて制御計画を作成する。【選択図】図１
2019216522.tif 000002
【特許請求の範囲】
【請求項１】
空調設備の稼働を制御するエネルギー管理システムであって、
所定の手順で処理を実行することによって以下の各機能部を実現する演算装置と、前記演算装置に接続された記憶装置とを備え、
前記空調設備は、冷却水を冷却する冷却塔と、冷水を冷却する冷凍機と、前記冷水を循環させるポンプと、前記冷水の流路に設けられるバルブとを含み、
前記エネルギー管理システムは、
現在の状態が前記空調設備の過去の運用データと類似する運用パターンを決定し、天気予報及び前記空調設備の過去の運用データに基づいてＤＲ要求量を予測する予測部と、
前記決定された運用パターンを用いて前記空調設備の制御計画を作成し、当該制御計画における電力消費量からＤＲ応答量を決定する受付部とを有し、
前記受付部は、（１）前記冷却塔を制御することで前記冷凍機が生産する熱を変えずに前記冷却塔と前記冷凍機の消費電力の合計を最小とする、（２）前記冷凍機の冷水出口温度を上昇させることで前記冷凍機の効率を向上する、（３）前記冷凍機の少なくとも一つを停止する、（４）バルブやポンプを制御してポンプの動力を低減する、（５）代替施設を稼働させて前記冷凍機の少なくとも一つを停止する、の少なくとも一つの個別制御計画を作成し、前記作成された個別制御計画を（１）から（５）の順に組み合わせて、前記予測されたＤＲ要求量を満たす制御計画を作成することを特徴とするエネルギー管理システム。
【請求項２】
請求項１に記載のエネルギー管理システムであって、
前記受付部は、（１）前記冷却塔から出力される冷却水の温度を、前記冷却塔のファンと前記冷凍機の消費電力の合計が最小となるように制御する、（２）前記冷凍機から出力される冷水の温度を高くする、（３）前記冷凍機の少なくとも一つを停止して冷水の温度を高くする、（４）バルブやポンプを制御してヘッダ間差圧や冷水の送水量を低くする、（５）代替施設を稼働させ前記冷凍機の少なくとも一つを停止する、の少なくとも一つの個別制御計画を作成し、前記作成された個別制御計画を（１）から（５）の順に組み合わせて、前記予測されたＤＲ要求量を満たす制御計画を作成することを特徴とするエネルギー管理システム。
【請求項３】
請求項１に記載のエネルギー管理システムであって、
前記受付部は、
天気予報及びデマンドレスポンスの過去の実績データに基づいてデマンドレスポンスにおける電力単価を推定し、
前記推定された電力単価と所定の閾値との比較結果に基づいて、デマンドレスポンスの実施によって得られる利益の大小を判定し、
前記得られる利益が大きい場合に、複数の機器を制御する制御計画を作成することを特徴とするエネルギー管理システム。
【請求項４】
請求項１に記載のエネルギー管理システムであって、
前記記憶装置は、前記空調設備の複数の運用パターンを格納しており、
前記予測部は、現在の気象状況及び前記空調設備の運用状態が類似する運用パターンを前記記憶装置から選択して、運用パターンを決定することを特徴とするエネルギー管理システム。
【請求項５】
請求項１に記載のエネルギー管理システムであって、
現在の気象状況と前記空調設備の稼働状態と当該空調設備によって実現される温熱状態とに基づいて復帰モデルを決定し、前記決定された復帰モデルに従ってデマンドレスポンスからの復帰制御を実施し、前記復帰制御中の前記空調設備の稼働状態と当該空調設備によって実現される温熱状態とに基づいて前記空調設備の稼働状態を検証する復帰部を有することを特徴とするエネルギー管理システム。
【請求項６】
請求項１に記載のエネルギー管理システムであって、
前記空調設備の稼働状態と当該空調設備によって実現される温熱状態とに基づいて、デマンドレスポンス実施中の前記空調設備の稼働状態を検証し、前記空調設備の消費電力が前記作成された制御計画を逸脱する場合、制御計画を再作成する算出部を有することを特徴とするエネルギー管理システム。
【請求項７】
空調設備の稼働を制御するエネルギー管理システムが実行するエネルギー管理方法であって、
前記エネルギー管理システムは、所定の手順で処理を実行する演算装置と、前記演算装置に接続された記憶装置とを有し、
前記空調設備は、冷却水を冷却する冷却塔と、冷水を冷却する冷凍機と、前記冷水を循環させるポンプと、前記冷水の流路に設けられるバルブとを含み、
前記エネルギー管理方法は、
前記演算装置が、現在の状態が前記空調設備の過去の運用データと類似する運用パターンを決定し、
前記演算装置が、天気予報及び前記空調設備の過去の運用データに基づいてＤＲ要求量を予測し、
前記演算装置が、前記決定された運用パターンに従って、（１）前記冷却塔を制御することで前記冷凍機が生産する熱を変えずに前記冷却塔と前記冷凍機の消費電力の合計を最小とする、（２）前記冷凍機の冷水出口温度を上昇させることで前記冷凍機の効率を向上する、（３）前記冷凍機の少なくとも一つを停止する、（４）バルブやポンプを制御してポンプの動力を低減する、（５）代替施設を稼働させて前記冷凍機の少なくとも一つを停止する、の少なくとも一つの個別制御計画を作成し、前記作成された個別制御計画を（１）から（５）の順に組み合わせて、前記予測されたＤＲ要求量を満たす制御計画を作成し、
前記演算装置が、当該制御計画における電力消費量からＤＲ応答量を決定することを特徴とするエネルギー管理方法。
【請求項８】
請求項７に記載のエネルギー管理方法であって、
前記演算装置は、（１）前記冷却塔から出力される冷却水の温度を、前記冷却塔のファンと前記冷凍機の消費電力の合計が最小となるように制御する、（２）前記冷凍機から出力される冷水の温度を高くする、（３）前記冷凍機の少なくとも一つを停止して冷水の温度を高くする、（４）バルブやポンプを制御してヘッダ間差圧や冷水の送水量を低くする、（５）代替施設を稼働させ前記冷凍機の少なくとも一つを停止する、の少なくとも一つの個別制御計画を作成し、前記作成された個別制御計画を（１）から（５）の順に組み合わせて、前記予測されたＤＲ要求量を満たす制御計画を作成することを特徴とするエネルギー管理方法。
【請求項９】
請求項７に記載のエネルギー管理方法であって、
前記演算装置は、天気予報及びデマンドレスポンスの過去の実績データに基づいてデマンドレスポンスにおける電力単価を推定し、
前記演算装置は、前記推定された電力単価と所定の閾値との比較結果に基づいて、デマンドレスポンスの実施によって得られる利益の大小を判定し、
前記演算装置は、前記得られる利益が大きい場合に、複数の機器を制御する制御計画を作成することを特徴とするエネルギー管理方法。
【請求項１０】
請求項７に記載のエネルギー管理方法であって、
前記記憶装置は、前記空調設備の複数の運用パターンを格納しており、
前記エネルギー管理方法は、前記演算装置が、現在の気象状況及び前記空調設備の運用状態が類似する運用パターンを前記記憶装置から選択して、運用パターンを決定することを特徴とするエネルギー管理方法。
【請求項１１】
請求項７に記載のエネルギー管理方法であって、
前記演算装置は、現在の気象状況と前記空調設備の稼働状態と当該空調設備によって実現される温熱状態とに基づいて復帰モデルを決定し、
前記演算装置は、前記決定された復帰モデルに従ってデマンドレスポンスからの復帰制御を実施し、
前記演算装置は、前記復帰制御中の前記空調設備の稼働状態と当該空調設備によって実現される温熱状態とに基づいて前記空調設備の稼働状態を検証することを特徴とするエネルギー管理方法。
【請求項１２】
請求項７に記載のエネルギー管理方法であって、
前記演算装置は、前記空調設備の稼働状態と当該空調設備によって実現される温熱状態とに基づいて、デマンドレスポンス実施中の前記空調設備の稼働状態を検証し、
前記演算装置は、前記空調設備の消費電力が前記作成された制御計画を逸脱する場合、制御計画を再作成することを特徴とするエネルギー管理方法。
【発明の詳細な説明】
【技術分野】
【０００１】
本発明は、デマンドレスポンスにより電力需要を管理するエネルギー管理システムに関する。
【背景技術】
【０００２】
太陽光発電や風力発電など変動再生可能エネルギーの導入拡大に伴い、送電周波数の安定性や需給バランスの制御に関する課題が顕在化している。太陽光発電のダックカーブ対策や周波数安定化技術の一つとして、需要家が電力需給安定化に応じるデマンドレスポンスが挙げられる。デマンドレスポンス（以下、ＤＲとも称する）は急速な電力需要の増大を抑制するネガワット、余剰の再生可能エネルギーを積極的に使用するポジワットがある。現状ではデマンドレスポンスは、翌日の需要逼迫など予め想定される時間帯に電力需要が予測可能な工場などの特定事業の大口需要家に対して協力を依頼するに留まっていた。
【０００３】
本技術分野の背景技術として、以下の先行技術がある。特許文献１（特開２０１３−１４１３３１号公報）には、各需要家に設けられる需要家端末と、前記需要家端末の各々に接続される電力管理装置とを有する電力管理システムであって、前記需要家端末の各々は、前記需要家周辺での局地的な気象予測を取得する気象予測取得手段と、前記気象予測に基づき当該気象予測で予測された期間での消費電力と削減可能な電力量とを予測する電力予測手段と、を備え、前記電力管理装置は、前記需要家端末の各々で算出された前記消費電力及び前記電力量の夫々を積算し、前記需要家全体での総消費電力と総削減可能電力量とを算出する積算手段と、を備える電力管理システムが記載されている。
【先行技術文献】
【特許文献】
【０００４】
【特許文献１】特開２０１３−１４１３３１号公報
【発明の概要】
【発明が解決しようとする課題】
【０００５】
このようなデマンドレスポンスには、特定事業の大口需要家だけではなく、大型ビルやショッピングモールなどの業務部門も積極的な参加が望まれるが、業務部門は電力の使用用途が多岐にわたり、デマンドレスポンスへの参加には制約が多かった。また、電力の使用用途が多岐にわたるため、デマンドレスポンスへ参加した際の影響を評価する必要があるが、評価方法がなかった。
【０００６】
本発明は、建物の空調システムの電力需要を低減してネガワットを創出し、既存の設備の運用によってデマンドレスポンスに参加できるエネルギー管理システムを提供する。
【課題を解決するための手段】
【０００７】
本願において開示される発明の代表的な一例を示せば以下の通りである。すなわち、空調設備の稼働を制御するエネルギー管理システムであって、所定の手順で処理を実行することによって以下の各機能部を実現する演算装置と、前記演算装置に接続された記憶装置とを備え、前記空調設備は、冷却水を冷却する冷却塔と、冷水を冷却する冷凍機と、前記冷水を循環させるポンプと、前記冷水の流路に設けられるバルブとを含み、前記エネルギー管理システムは、現在の状態が前記空調設備の過去の運用データと類似する運用パターンを決定し、天気予報及び前記空調設備の過去の運用データに基づいてＤＲ要求量を予測する予測部と、前記決定された運用パターンを用いて前記空調設備の制御計画を作成し、当該制御計画における電力消費量からＤＲ応答量を決定する受付部とを有し、前記受付部は、（１）前記冷却塔を制御することで前記冷凍機が生産する熱を変えずに前記冷却塔と前記冷凍機の消費電力の合計を最小とする、（２）前記冷凍機の冷水出口温度を上昇させることで前記冷凍機の効率を向上する、（３）前記冷凍機の少なくとも一つを停止する、（４）バルブやポンプを制御してポンプの動力を低減する、（５）代替施設を稼働させて前記冷凍機の少なくとも一つを停止する、の少なくとも一つの個別制御計画を作成し、前記作成された個別制御計画を（１）から（５）の順に組み合わせて、前記予測されたＤＲ要求量を満たす制御計画を作成する。
【発明の効果】
【０００８】
本発明の一態様によれば、建物の空調システムを活用してネガワットを創出し電力需要を低減できる。前述した以外の課題、構成及び効果は、以下の実施例の説明によって明らかにされる。
【図面の簡単な説明】
【０００９】
【図１】デマンドレスポンスにおける電力需要の低減を示す図である。
【図２】本発明の実施例のエネルギー管理システムの論理的な構成を示すブロック図である。
【図３】本実施例のエネルギー管理システムの物理的な構成を示すブロック図である。
【図４Ａ】冷水の制御を示す図である。
【図４Ｂ】冷却水の制御を示す図である。
【図５Ａ】負荷率と効率と冷却水入口温度の関係を示す図である。
【図５Ｂ】負荷率と効率と冷水出口温度の関係を示す図である。
【図６】予測部が実行する処理のフローチャートである。
【図７】建物のエネルギー需要の予測方法を示す図である。
【図８】受付部が実行する処理のフローチャートである。
【図９】算出部が実行する処理のフローチャートである。
【図１０】復帰部が実行する処理のフローチャートである。
【図１１】制御対象機器の稼働と消費電力との関係を示す図である。
【発明を実施するための形態】
【００１０】
図１は、デマンドレスポンスにおける電力需要の低減を示す図である。なお、図１において、実線は電力（ネガワット）の移動を、破線は情報（制御指令、応答など）の転送を、一点鎖線は金銭的価値の移動を示す。また、情報は、各人が保有しているシステム間で送受信される。
【００１１】
電力システムにおいて需要家の電力需要量を変動させて電力の需要と供給とをバランスさせるデマンドレスポンスの一態様として、電力会社（発電事業者、送電事業者）と需要家との間を中継するアグリゲータが、複数の需要家を統合してエネルギー取引市場における電力需給を調整する形式がある。
【００１２】
予め、需要家が、電力需要の低減に協力するデマンドレスポンス応答量を申告し（３０１）、アグリゲータは、需要家からの申告を登録しておく。
【００１３】
電力需要の低減が必要な場合、電力会社は電力需要を低減する電力調整をアグリゲータに依頼する（３０２）。アグリゲータは、申告が登録されている需要家にデマンドレスポンスによる需要量の低減を募集する（３０３）。需要家は、デマンドレスポンスに応募する（３０４）。このとき、実際に可能なデマンドレスポンス応答量が予めの申告と異なれば、デマンドレスポンス応答量をアグリゲータに申告してもよい。
【００１４】
アグリゲータは、需要家から申告されたデマンドレスポンス応答量を集計し、電力会社からの電力調整依頼に対応するデマンドレスポンスプランを作成して、需要家にデマンドレスポンスへの採否（採用された需要家には実施）を通知する（３０５）。また、電力会社にデマンドレスポンスが可能であることを伝える実施通知を送信する（３０６）。なお、電力会社は、複数のアグリゲータによる入札の結果で、電力需要低減の協力者（アグリゲータ、需要家）を決めてもよい。
【００１５】
需要家は、調整を依頼されたタイミングで電力需要を低減し、ＤＲ応答（ネガワット）をアグリゲータに提供する（３０７）。アグリゲータは、需要家から提供されたＤＲ応答（ネガワット）を電力会社に提供する（３０８）。そして、電力会社は、電力需要の低減に応じた需要家に、アグリゲータを通じて、報酬を支払う（３０９）。
【００１６】
以上に説明したデマンドレスポンスによる電力量の制御において、本実施例のエネルギー管理システム１は、需要家が設置し、運営する。エネルギー管理システム１は、一つの建物の空調、給湯、電力供給等を監視し制御するものでも、近隣の建物の空調、給湯、電力供給等を総合的に監視し制御するものでもよい。アグリゲータは、電力管理システム２を運営している。発電事業者及び送電事業者は、電力供給システム３を有している。
【００１７】
図２は、本発明の実施例のエネルギー管理システム１の論理的な構成を示すブロック図である。
【００１８】
本実施例のエネルギー管理システム１は、予測部１０、受付部２０、算出部３０、出力部４０及び復帰部５０を有し、管理対象の建物の空調などのエネルギーを消費する設備の稼働を管理する。エネルギー管理システム１は、給湯、照明などを管理してもよい。
【００１９】
予測部１０は、デマンドレスポンスが実施される際の電力需要を予測し、デマンドレスポンスで創出されるネガワットの最大値であるＤＲ応答最大量を計算する。予測部１０が実行する処理の詳細は図６を用いて後述する。受付部２０は、デマンドレスポンスを実施するための制御計画を作成する。受付部２０が実行する処理の詳細は図８を用いて後述する。算出部３０は、デマンドレスポンス実施中の電力需要を予測する。算出部３０が実行する処理の詳細は図９を用いて後述する。出力部４０は、アグリゲータ（電力管理システム２）へコマンドを送信し、デマンドレスポンスによる効果を表示する画面を生成する。復帰部５０は、デマンドレスポンスからの復帰制御を実施し、復帰制御中の前記空調設備の稼働状態を検証する。復帰部５０が実行する処理の詳細は図１０を用いて後述する。
【００２０】
また、エネルギー管理システム１は、各機能部が処理に使用するデータとして、気象状況１０１、天気予報１０２、建物運用カレンダー１０３、建物過去運用データ１０４、設備稼働データ１０５、ＤＲ価格予想データ１０６及び室内温熱データ１０７を有する。これらのデータは、後述する補助記憶装置２０３やメモリ２０２に格納されるが、外部の記憶装置に格納されてもよい。
【００２１】
気象状況１０１は、天候（晴れ、曇り、雨、雪など）、気温、湿度などの気象データを含み、当該建物において計測したり、気象予報会社（予報業務許可事業者）から取得する。天気予報１０２は、所定時間後の気象（天候、気温、湿度など）の予報であり、気象庁や気象予報会社から取得する。
【００２２】
建物運用カレンダー１０３は、建物におけるイベントの内容や日時のデータを含む。建物過去運用データ１０４は、建物における空調設備、当該設備の電力消費量、デマンドレスポンス応答の実績、当該建物の所在地の気象データである。気象データは、気象庁や気象予報会社から取得する。建物過去運用データ１０４は、過去の運用データがログ形式で蓄積されるが、過去の運用データを分類して作成される運用パターンや復帰パターンを含む。なお、運用パターンや復帰パターンを予め作成せず、その都度、類似するログデータを検索して運用パターンや復帰パターンを作成してもよい。
【００２３】
設備稼働データ１０５は、建物における空調設備の稼働状況を示し、送水温度、冷却水温度、弁やポンプの動作状態、冷凍機の稼働台数などのデータを含む。ＤＲ価格予想データ１０６は、過去に行われたデマンドレスポンスの実績データであり、どのような条件（気象条件、イベントなど）において、どの程度の価格でデマンドレスポンスが行われたかが分かるデータである。ＤＲ価格予想データ１０６は、過去のデマンドレスポンスにおける価格の実績をログ形式で蓄積したデータであるが、過去のデマンドレスポンスにおける価格をパターン化したデータを保有してもよい。室内温熱データ１０７は、建物における室内温度や湿度のデータを含み、人の感覚や行動に関するデータ（例えば、温熱指標（有効温度、不快指数、温冷感指数など）、体感温度、温冷感、快適性、季節感、着衣量など）を含んでもよい。
【００２４】
図３は、本実施例のエネルギー管理システム１の物理的な構成を示すブロック図である。
【００２５】
本実施例のエネルギー管理システム１は、プロセッサ（ＣＰＵ）２０１、メモリ２０２、補助記憶装置２０３、通信インターフェース２０４、入力インターフェース２０５及び出力インターフェース２０８を有する計算機によって構成される。
【００２６】
プロセッサ２０１は、メモリ２０２に格納されたプログラムを実行する演算装置である。プロセッサ２０１が、各種プログラムを実行することによって、エネルギー管理システム１の各種機能が実現される。なお、プロセッサ２０１がプログラムを実行して行う処理の一部を、他の演算装置（例えば、ＦＰＧＡ）で実行してもよい。
【００２７】
メモリ２０２は、不揮発性の記憶素子であるＲＯＭ及び揮発性の記憶素子であるＲＡＭを含む。ＲＯＭは、不変のプログラム（例えば、ＢＩＯＳ）などを格納する。ＲＡＭは、ＤＲＡＭ（Dynamic Random Access Memory）のような高速かつ揮発性の記憶素子であり、プロセッサ２０１が実行するプログラム及びプログラムの実行時に使用されるデータを一時的に格納する。
【００２８】
補助記憶装置２０３は、例えば、磁気記憶装置（ＨＤＤ）、フラッシュメモリ（ＳＳＤ）等の大容量かつ不揮発性の記憶装置である。また、補助記憶装置２０３は、プロセッサ２０１がプログラムの実行時に使用するデータ（例えば、現在の気象状況１０１、天気予報１０２、建物運用カレンダー１０３、建物過去運用データ１０４、設備稼働データ１０５、ＤＲ価格予想データ１０６、室内温熱データ１０７など）、及びプロセッサ２０１が実行するプログラム（例えば、予測プログラム、受付プログラム、算出プログラム、出力プログラム、復帰プログラムなど）を格納する。すなわち、プログラムは、補助記憶装置２０３から読み出されて、メモリ２０２にロードされて、プロセッサ２０１によって実行されることによって、エネルギー管理システム１の各機能を実現する。
【００２９】
通信インターフェース２０４は、所定のプロトコルに従って、他の装置との通信を制御するネットワークインターフェース装置である。
【００３０】
入力インターフェース２０５は、キーボード２０６やマウス２０７などの入力装置が接続され、オペレータからの入力を受けるインターフェースである。出力インターフェース２０８は、ディスプレイ装置２０９やプリンタ（図示省略）などの出力装置が接続され、プログラムの実行結果をオペレータが視認可能な形式で出力するインターフェースである。なお、エネルギー管理システム１にネットワークを介して接続された端末が入力装置及び出力装置を提供してもよい。
【００３１】
プロセッサ２０１が実行するプログラムは、リムーバブルメディア（ＣＤ−ＲＯＭ、フラッシュメモリなど）又はネットワークを介してエネルギー管理システム１に提供され、非一時的記憶媒体である不揮発性の補助記憶装置２０３に格納される。このため、エネルギー管理システム１は、リムーバブルメディアからデータを読み込むインターフェースを有するとよい。
【００３２】
エネルギー管理システム１は、物理的に一つの計算機上で、又は、論理的又は物理的に構成された複数の計算機上で構成される計算機システムであり、複数の物理的計算機資源上に構築された仮想計算機上で動作してもよい。
【００３３】
図４Ａは、冷水の制御を示す図である。
【００３４】
冷凍機（例えば、ターボ冷凍機）４０１で冷却された冷水は、ポンプ４０２によって熱交換機４０５に送水される。ポンプ４０２は、インバータ４０３によってヘッダ４０４、４０８の間の差圧であるヘッダ間差圧４０９が設定値となるよう制御される。熱交換機４０５は、冷凍機４０１から供給された冷水によって空調用の空気を冷却する。冷水の流路（図では熱交換機の下流側）にはバルブ４０６及び流量計４０７が設けられており、流量計４０７の計測値が設定値となるようにバルブ４０６の開度が制御される。例えば、ヘッダ間差圧４０９を小さくすると、ポンプ４０２に必要な揚程が小さくなり、消費電力を低減できる。このとき、バルブ４０６が適切に制御されることによって必要量の冷水を供給するが、バルブを全開にしても揚程が不足する場合は送水量が低下することになる。
【００３５】
また、冷水の流路には、温度計４１０が設けられている。冷凍機４０１は、インバータ４１１によって冷却能力が制御されており、温度計４１０の計測値によって冷凍機４０１から出力される冷水の温度を制御している。この温度が熱交換器に対する図４Ａのシステムの送水温度である。
【００３６】
図４Ｂは、冷却水の制御を示す図である。
【００３７】
冷却塔４１２は、例えば２４℃に冷却された冷却水を出力する。冷却塔４１２から出力された冷却水は、冷凍機４１９に導入され、冷凍機における冷水の生産による廃熱を得てより高温（例えば、３０℃）となって出力される。冷却水の流量は、流量計４１８の計測値が設定値となるようにインバータ４１７によって制御される。
【００３８】
さらに、冷却水の流路には冷却塔４１２を経由せずに冷却水を循環させるバイパス流路が設けられており、バイパス流路に流す冷却水の量を制御するためのバルブ４１４が設けられている。冷却塔のファンインバータ４１３とバルブ４１４の開度を制御することによって、冷凍機４１９へと流れる冷却水の温度４１５を制御することができる。
【００３９】
図５Ａは、冷凍機に流入する冷却水の温度別の負荷率と効率の関係を示す図である。冷凍機の負荷率を変えない場合、冷凍機に流入する冷却水の温度（冷却水入口温度）を下げると、冷凍機の効率（ＣＯＰ）が向上し、消費電力を低減できる。具体的には、冷却塔４１２のファンを通常時よりも稼働させて冷却水温度を低下することによって、冷凍機４１９のＣＯＰを向上できる。このとき、冷却塔４１２のファンの動力が増加するため、最適点となるように制御する。
【００４０】
図５Ｂは、冷凍機から排出される冷水の温度別の負荷率と効率の関係を示す図である。冷凍機の負荷率を変えない場合、冷凍機から排出される冷水の温度（冷水出口温度）を上げると、冷凍機の効率（ＣＯＰ）が向上し、消費電力を低減できる。
【００４１】
図６は、予測部１０が実行する処理のフローチャートである。
【００４２】
プロセッサ２０１は、予測プログラムによって予測部１０を起動し、予測処理を実行する。この予測処理は、所定のタイミングで繰り返し実行され、所定時間後（例えば、３０分後）から行われるデマンドレスポンスに備えている。
【００４３】
まず、予測部１０は、現在の気象状況１０１及び建物運用カレンダー１０３と建物過去運用データ１０４とを照合し（Ｓ５０１）、現在の気象状況及び設備運用と類似する運用パターン１０４’を決定する（Ｓ５０２）。建物過去運用データ１０４がパターン化されている場合は類似するパターンを選択すればよく、建物過去運用データ１０４がログ形式である場合は類似する運用データを選択して、運用パターンとして決定する。
【００４４】
次に、予測部１０は、天気予報１０２と建物過去運用データ１０４から、デマンドレスポンスの発生を予測し（Ｓ５０３）、ＤＲ要求量を予測する（Ｓ５０４）。具体的には、所定時間後の天気予報と類似する状況を建物過去運用データ１０４から選択し、選択されたデータの中でデマンドレスポンスが要請されている割合（発生率）を計算する。この際、カレンダー（曜日、祝祭日、お盆、正月、ライブやスポーツなどのイベント）による電力需要の特徴的な変化を考慮してデマンドレスポンスの発生率を計算してもよい。そして、選択されたデータの中でデマンドレスポンスの要求量の統計値（例えば、平均値）を計算し、ＤＲ要求量の予測値とする。
【００４５】
その後、予測部１０は、当該建物の電力需要を予測し、デマンドレスポンス応答最大値を計算する（Ｓ５０５）。例えば、選択された運用パターン１０４’、現在の気象状況１０１、天気予報１０２、建物運用カレンダー１０３、設備稼働データ１０５及び室内温熱データ１０７を用いて、デマンドレスポンス開始時の電力需要を線形予測する。図７に建物のエネルギー需要の予測方法を示す。
【００４６】
電力量を計算する関数ｆ（Ｅｆａｃ，Ｅ，ｗ，Ｔ）を定めておき、関数ｆの時間変化（ｄｆ／ｄｔ）を傾きとして、デマンドレスポンス開始まで（図では３０分後）に消費される電力量Ｅ１を計算する。関数ｆの説明変数であるＥｆａｃは空調設備の稼働パラメータであり、Ｅは他の設備の電力消費量であり、ｗは気象パラメータであり、Ｔは室内環境パラメータである。室内環境パラメータは、温度や湿度等の測定可能な物理量の他、温熱指標（例えば、有効温度、不快指数、温冷感指数）を用いてもよい。各説明変数は、１種類に複数のパラメータを用いてもよい。例えば、空調設備の稼働パラメータＥｆａｃとして電力消費量を用いれば、Ｅｆａｃを構成するパラメータは一つでよいが、送水温度、冷却水温度、弁やポンプの動作状態、冷凍機の稼働台数などを用いると複数のパラメータがＥｆａｃを構成する。
【００４７】
その後、デマンドレスポンス中の電力需要を予測する。デマンドレスポンス実施中は、通常は電力需要が逼迫し、様々な環境が変化する。このため、デマンドレスポンス開始前とパラメータが異なり、単位時間あたりの電力量が変化する。このため、デマンドレスポンス開始前と違って、ステップＳ５０２で決定された運用パターンによるパラメータＥｆａｃ’、Ｅ’、ｗ’、Ｔ’を用いた関数ｆの時間変化（ｄｆ／ｄｔ）を傾きとして、デマンドレスポンス終了までに消費される電力量Ｅ２を計算する。なお、図示した電力量の予測値のグラフは、デマンドレスポンス実施中は、単位時間あたりの電力量が増加しているが、単位時間当たりの電力量が減少する場合もある。
【００４８】
その後、ＤＲ応答量の最大値を予測する。ＤＲ応答量の最大値は、最大稼働時の電力量とデマンドレスポンス実施中の電力需要との差で表される。
【００４９】
図８は、受付部２０が実行する処理のフローチャートである。
【００５０】
プロセッサ２０１は、予測部１０がＤＲ要求量を予測すると（Ｓ５０４）、受付プログラムによって受付部２０を起動し、受付処理を実行する。
【００５１】
まず、受付部２０は、ＤＲ要求量の予測値と建物過去運用データ１０４とを用いてＤＲ単価を推定する（Ｓ５１１）。例えば、ステップＳ５０４でＤＲ要求量の予測において選択されたデータの中でデマンドレスポンスが実施されたものを選択して、デマンドレスポンスの単価の統計値（例えば、平均値）を計算し、ＤＲ単価の推定し、ＤＲ価格予想データ１０６から条件が類似するものを選択する。
【００５２】
次に、受付部２０は、推定されたＤＲ単価と予め定められた基準価格とを比較する（Ｓ５１２）。基準価格は、需要家において、空調設備の投資金額や運用コストから予め定められる、デマンドレスポンスに対する損益の基準価格であり、基準値と下限値を含む。そして、推定されたＤＲ単価が下限値以下であれば、デマンドレスポンスを実施しても需要家にメリットがなく、デマンドレスポンスの募集があっても応募しないので、受付処理を終了する。
【００５３】
一方、推定されたＤＲ単価が基準値以上であれば、デマンドレスポンスの実施によって得られる利益が大きく、電力需要の低減量（ネガワットの創出量）を大きくすべきなので、設備稼働データ１０５と室内温熱データ１０７を参照して、複数の設備の稼働を制御する複合制御計画を作成する（Ｓ５１３）。また、推定されたＤＲ単価が基準値より小さければ、デマンドレスポンスの実施によって得られる利益が小さく、電力需要の低減量は小さくてよいので、設備稼働データ１０５と室内温熱データ１０７を参照して、一種類の設備を制御する単一制御計画を作成する（Ｓ５１４）。なお、後述するが、複合制御計画の方がデマンドレスポンス実施中の制御が複雑で、デマンドレスポンス中の電力需要がデマンドレスポンスに応募した電力値を超える可能性も高く、さらに、デマンドレスポンス実施後の定常状態への復帰の制御も複雑になり、設備の故障リスクも大きい。このため、デマンドレスポンスの実施によって生じる金銭的利益が小さい場合には、単一制御計画を適用して、少量のネガワットでデマンドレスポンスへ応募する方がよい。
【００５４】
受付部２０は、制御計画を作成した後、ＤＲ応答量を決定する（Ｓ５１５）。例えば、ＤＲ応答量は、ステップＳ５１３、Ｓ５１４で作成される制御計画によって創出できるネガワットの量を超えない範囲でＤＲ応答量を決定する。そして、決定されたＤＲ応答量でデマンドレスポンスに応募する（Ｓ５１６）。
【００５５】
ここで、ステップＳ５１３で作成される複合制御計画を説明する。デマンドレスポンスによって多くのネガワットを創出するためには、空調設備の複数の機器の稼働を制御する方がよい。このため、複合制御計画では、以下の個別制御計画を組み合わせて電力需要を低減する。個別制御計画は、制御の容易度や、低減される電力の大きさや、復帰制御の容易度を考慮し（１）から（４）の順に優先して採用するとよい。
（１）冷却塔の稼働を制御して、冷却水温度を低下する。
（２）冷凍機の冷水の出口温度を上昇して、送水温度を上昇する。
（３）複数台数ある冷凍機の一部を停止して、送水温度を上昇する。
（４）バルブやポンプを制御してヘッダ間差圧や送水量を低下する。
【００５６】
また、氷蓄熱機や給湯器、燃料式冷凍機などの代替施設を活用して、電力需要のピークをシフトして、デマンドレスポンス中の電力需要を低減してもよい。更に、このような代替施設を起動させることで、消費電力を低下可能な冷凍機を停止する個別制御計画を作成してもよい。この場合、この代替施設を稼働させる個別制御計画は、採用される優先順位が低い（５）の個別制御計画となる。
【００５７】
次に、ステップＳ５１４で作成される単一制御計画を説明する。デマンドレスポンスによって創出するネガワットが少量でよい場合、１種類の空調設備の稼働を制御する方が、制御の容易度や復帰制御の容易度から好ましい。このため、複合制御計画で前述した（１）から（４）又は（１）から（５）の個別制御計画のうち必要なネガワットを創出可能なものを制御計画とする。
【００５８】
いずれの制御計画でも、室内温熱データを用いて、室内環境が不快にならない程度、すなわち温熱感の満足感を維持できる程度で、稼働を低下したり、機器を停止する。
【００５９】
図９は、算出部３０が実行する処理のフローチャートである。
【００６０】
プロセッサ２０１は、受付部２０がＤＲ応答量を決定し（Ｓ５１５）、デマンドレスポンスを開始すると、算出プログラムによって算出部３０を起動し、算出処理を実行する。
【００６１】
そして、算出部３０は、受付処理で作成された制御計画が複合制御計画であるか、単一制御計画であるかによって処理を振り分ける。
【００６２】
算出部３０は、受付処理で作成された制御計画が複合制御計画であれば、デマンドレスポンスの開始後、設備稼働データ１０５及び室内温熱データ１０７の直近の測定値を用いて、当該複合制御計画に従って機器を制御する場合のデマンドレスポンス実施中の電力需要を予測する（Ｓ５２２）。例えば、デマンドレスポンスが３０分間実施される場合、５分後の電力需要を予測するとよい。予測は、図７に示すような線形予測を用いるとよい。
【００６３】
一方、算出部３０は、受付処理で作成された制御計画が単一制御計画であれば、デマンドレスポンスの開始後、設備稼働データ１０５及び室内温熱データ１０７の直近の測定値を用いて、当該単一制御計画に従って機器を制御する場合のデマンドレスポンス実施中の電力需要を予測する（Ｓ５２３）。例えば、デマンドレスポンスが３０分間実施される場合、５分後の電力需要を予測するとよい。
【００６４】
その後、算出部３０は、予測された電力需要とＤＲ応答量とを比較し、当該建物において想定外の事態が発生し電力需要の急激に増加するかを監視している。そして、予測された電力需要だとＤＲ応答量を満たさない場合は、電力需要が予測された時刻の電力需要を低減する必要があると判定し、制御計画を再作成する（Ｓ５２４）。例えば、各機器の制御量を大きくしたり、単一制御計画を複合制御計画に変更して制御される機器を増やすとよい。なお、制御計画の再作成に代えて又は制御計画の再作成と共に、空調設備以外の設備の消費電力を低減してもよい。例えば、共用区域を減光したり、給水設備の消費電力を低減する。
【００６５】
このように、算出部３０は、デマンドレスポンス実施中の電力需要を予測し、ＤＲ応答量を遵守するように制御している。
【００６６】
図１０は、復帰部５０が実行する処理のフローチャートである。
【００６７】
プロセッサ２０１は、デマンドレスポンスの終了時に、復帰プログラムによって復帰部５０を起動し、復帰処理を実行する。
【００６８】
まず、復帰部５０は、設備稼働データ１０５、室内温熱データ１０７、現在の気象状況１０１及び建物過去運用データ１０４を参照して、類似する状況における復帰モデルを選択する（Ｓ５３１）。復帰モデルは、前述したように、建物過去運用データ１０４は復帰パターンを含んでおり、復帰部５０は、状況が類似する復帰パターンが建物過去運用データ１０４から選択する。なお、デマンドレスポンス中に複合制御計画が実施されている場合、復帰パターンも複合的な復帰制御になり、単一制御計画が実施されている場合、復帰パターンも単一の復帰制御になる。
【００６９】
その後、復帰部５０は、復帰モデルが複合的な復帰制御である場合、選択された復帰パターンに従って、冷凍機の通常運転への復帰により送水温度を復帰し（Ｓ５３２）、冷却塔ファンの復帰による冷却水温度を復帰する（Ｓ５３３）。なお、選択された復帰パターンに冷凍機の稼働再開やバルブ及びポンプの復帰が含まれている場合、停止した冷凍機の稼働を再開し、バルブ及びポンプを定常稼働状態へ復帰する。なお、復帰の順序によって電力量が異なるので、電力量が小さい復帰順序を選んでもよい。
【００７０】
一方、復帰モデルが単一の復帰制御である場合、復帰部５０は、稼働を低下又は停止した機器を通常運転に復帰する（Ｓ５３４）。
【００７１】
その後、復帰部５０は、復帰モデルに従った制御を開始した後、所定のタイミングで（例えば、３０分の復帰モデルにおいて５分毎に）、設備稼働データ１０５及び室内温熱データ１０７を参照して、復帰モデルを検証する（Ｓ５３５）。復帰モデルに従って機器の稼働を制御しても、測定値が変化しない場合、空調設備に異常が生じていると判定し、復帰モデルに従った制御を中止する。例えば、冷凍機の通常運転への復帰を指令しても送水温度が低下しない場合、異常（冷凍機の故障）であると判定する。また、バルブの閉鎖を指令しても流量が変化しない場合、異常（バルブの故障や周辺の管路の詰まり）であると判定する。なお、異常と判定された設備の復帰を中止してもよく、復帰モデルの全ての制御を中止してもよい。
【００７２】
復帰モデルの検証において異常が検出されない場合、定常運転に復帰して、空調設備を稼働させる（Ｓ５３６）。
【００７３】
このように、より適切で省エネルギーな運転を行うコミッショニングプロセスを実現できる。
【００７４】
図１１は、制御対象機器の稼働と消費電力との関係を示す図である。本実施例のエネルギー管理システム１は、空調設備を構成する冷凍機（送水温度の制御）、ポンプやバルブ（ヘッダ間差圧や送水量の制御）、冷却塔（冷却水温度の制御）の稼働のバランスによってシステム全体の消費電力を制御する。例えば、図示するように、送水温度を高めることによって、機器の消費電力を削減できる。同時に、ポンプ出力を高めて送水量を増加することによって室内環境を維持しながら、全体の消費電力を低下できる。また、冷凍機の効率を向上させるために冷却水温度を低下させると、冷却塔のファンの動力が増加する。これらを踏まえてシステム全体の消費電力の制御を行うとよい。
【００７５】
以上に説明したように、本実施例のエネルギー管理システム１によると、現在の状態が建物過去運用データ１０４と類似する運用パターン１０４’を決定し（Ｓ５０２）、天気予報１０２及び建物過去運用データ１０４に基づいてＤＲ要求量を予測する（Ｓ５０４）予測部１０と、決定された運用パターン１０４’を用いて空調設備の制御計画を作成し（Ｓ５１３、Ｓ５１４）、当該制御計画における電力消費量からＤＲ応答量を決定する（Ｓ５１５）受付部２０とを有し、受付部２０は、（１）冷却塔を制御することで冷凍機が生産する熱を変えずに冷却塔と冷凍機の消費電力の合計を最小とする、（２）冷凍機の冷水出口温度を上昇させることで冷凍機の効率を向上する、（３）冷凍機の少なくとも一つを停止する、（４）バルブやポンプを制御してポンプの動力を低減する、（５）代替施設を稼働させて冷凍機の少なくとも一つを停止する、の少なくとも一つの個別制御計画を作成し、作成された個別制御計画を（１）から（５）の順に組み合わせて、予測されたＤＲ要求量を満たす制御計画を作成するので、消費電力が大きい空調設備を活用してネガワットを創出し電力需要を低減できる。また、電力需要の低減による影響を低減し、デマンドレスポンスを実施できる。このため、広範な業務部門がデマンドレスポンスに参加でき、デマンドレスポンスにより電力需要を低減できる。また、（１）〜（４）の個別制御計画で十分であれば、大型蓄電池のような新たな設備を導入することなく電力需要を低減できる。
【００７６】
また、受付部２０は、（１）冷却塔から出力される冷却水の温度を、冷却塔のファンと冷凍機の消費電力の合計が最小となるように制御する、（２）冷凍機から出力される冷水の温度を高くする、（３）冷凍機の少なくとも一つを停止して冷水の温度を高くする、（４）バルブやポンプを制御してヘッダ間差圧や冷水の送水量を低くする、（５）代替施設を稼働させ冷凍機の少なくとも一つを停止する、の少なくとも一つの個別制御計画を作成し、作成された個別制御計画を（１）から（５）の順に組み合わせて、予測されたＤＲ要求量を満たす制御計画を作成するので、室内環境を維持しながら、全体の消費電力を低下できる。
【００７７】
また、受付部２０は、天気予報１０２及びデマンドレスポンスの過去の実績データ（建物過去運用データ１０４）に基づいてデマンドレスポンスにおける電力単価を推定し（Ｓ５１１）、推定された電力単価と所定の閾値（基準価格）との比較結果に基づいて、デマンドレスポンスの実施によって得られる利益の大小を判定し（Ｓ５１２）、得られる利益が大きい場合に、複数の機器を制御する複合制御計画を作成する（Ｓ５１３）ので、電力需要をより多く低減し、デマンドレスポンスの実施によって多くの金銭的利益を得ることができる。
【００７８】
また、予測部１０は、気象状況１０１及び建物運用カレンダー１０３に基づいて、運用状態が類似する運用パターンを建物過去運用データ１０４から選択して、運用パターン１０４’を決定するので、複雑な計算をすることなく、適する運用パターンを決定できる。
【００７９】
また、復帰部５０が、決定された復帰モデルに従ってデマンドレスポンスからの復帰制御を実施し、復帰制御中の空調設備の稼働状態（設備稼働データ１０５）と当該空調設備によって実現される温熱状態（室内温熱データ１０７）とに基づいて空調設備の稼働状態を検証するので、より適切で省エネルギーな運転を行うコミッショニングプロセスを実現できる。また、復帰制御中の異常を判定し、設備を適切に運転できる。
【００８０】
また、算出部３０が、空調設備の稼働状態（設備稼働データ１０５）と当該空調設備によって実現される温熱状態（室内温熱データ１０７）とに基づいて、デマンドレスポンス実施中の前記空調設備の稼働状態を検証し、前記空調設備の消費電力が前記作成された制御計画を逸脱する場合、制御計画を再作成するので、デマンドレスポンス実施中に想定外の事態が発生し電力需要が増加しても、新しい制御計画によってＤＲ応答量を満たすことができる。
【００８１】
なお、本発明は前述した実施例に限定されるものではなく、添付した特許請求の範囲の趣旨内における様々な変形例及び同等の構成が含まれる。例えば、前述した実施例は本発明を分かりやすく説明するために詳細に説明したものであり、必ずしも説明した全ての構成を備えるものに本発明は限定されない。また、ある実施例の構成の一部を他の実施例の構成に置き換えてもよい。また、ある実施例の構成に他の実施例の構成を加えてもよい。また、各実施例の構成の一部について、他の構成の追加・削除・置換をしてもよい。
【００８２】
また、前述した各構成、機能、処理部、処理手段等は、それらの一部又は全部を、例えば集積回路で設計する等により、ハードウェアで実現してもよく、プロセッサがそれぞれの機能を実現するプログラムを解釈し実行することにより、ソフトウェアで実現してもよい。
【００８３】
各機能を実現するプログラム、テーブル、ファイル等の情報は、メモリ、ハードディスク、ＳＳＤ（Ｓｏｌｉｄ  Ｓｔａｔｅ  Ｄｒｉｖｅ）等の記憶装置、又は、ＩＣカード、ＳＤカード、ＤＶＤ等の記録媒体に格納することができる。
【００８４】
また、制御線や情報線は説明上必要と考えられるものを示しており、実装上必要な全ての制御線や情報線を示しているとは限らない。実際には、ほとんど全ての構成が相互に接続されていると考えてよい。
【符号の説明】
【００８５】
１  エネルギー管理システム
１０  予測部
２０  受付部
３０  算出部
４０  出力部
５０  復帰部
【図１】
2019216522.tif 000003
【図２】
2019216522.tif 000004
【図３】
2019216522.tif 000005
【図４Ａ】
2019216522.tif 000006
【図４Ｂ】
2019216522.tif 000007
【図５Ａ】
2019216522.tif 000008
【図５Ｂ】
2019216522.tif 000009
【図６】
2019216522.tif 000010
【図７】
2019216522.tif 000011
【図８】
2019216522.tif 000012
【図９】
2019216522.tif 000013
【図１０】
2019216522.tif 000014
【図１１】
2019216522.tif 000015
【手続補正書】
【提出日】令和1年5月23日(2019.5.23)
【手続補正１】
【補正対象書類名】図面
【補正対象項目名】図１１
【補正方法】変更
【補正の内容】
【図１１】
2019216522.tif 000016